(57)【要約】  付け睫毛を分与するための貼付器を用いて付け睫毛を貼付する方法であって、貼付器は、供給ホイール及び巻取ホイールを含み、供給ホイールは、複数のポケットを有するテープを含み、ここで、ポケットは、個別的な又は束の付け睫毛が分与ピボットから分与されるまで、それらを固定する。使用済みのテープは、巻取ホイールに戻される。【選択図】  図５
2016511340.tif 000002
【特許請求の範囲】
【請求項１】
a)付け睫毛を分与するための装置を用意するステップであって、
i.前記装置が、付け睫毛を分与するための開口部を含むケーシング、供給ホイール、分与ピボット、及び使用済みのテープが配置される巻取ホイールを備えており、前記供給ホイールが、複数のポケットを含む搬送テープの供給ロールを担持し、前記ポケットのそれぞれが、分与される予定の少なくとも一つの付け睫毛を含み、前記付け睫毛の遠位端部が前記ポケットから露呈された状態で各付け睫毛の前記遠位端部が前記分与ピボットの方に向けられるように、前記睫毛が前記ポケット内に構成されており、前記巻取ホイールが、前記分与ピボットにおいて各付け睫毛が分与された後で使用済みのテープを受け取り、前記搬送テープが、前記供給ロールの第1の側から、前記分与ピボットまで第1の経路を経て、前記睫毛の前記遠位端部が貼付のために露呈されるように前記分与ピボットを回って、第2の経路を経て前記巻取ホイールまで延在し、前記供給ホイールを回転駆動させるために作動ホイールが設けられ、前記作動ホイールが、前記ケーシングの上方部分にある開口部から突出している、ステップと、
b)前記付け睫毛のうちの一つの前記遠位端部を露呈させるために前記作動ホイールを十分に作動させるステップと、
c)前記付け睫毛の前記遠位端部を美容上許容される接着材料に貼付するステップと、
d)前記付け睫毛を使用者の睫毛に貼付するステップと、を含む、付け睫毛を分与するための方法。
【請求項２】
前記作動ホイール及び前記巻取ホイールが、それぞれ円周方向のはめ歯を備え、前記それぞれのはめ歯が相互に係合して、前記作動ホイールと前記巻取ホイールとが調和して動くのを促進する、請求項1に記載の方法。
【請求項３】
前記作動ホイールが、前記供給ホイールに同軸に結合されるホイールである、請求項1に記載の方法。
【請求項４】
様々な長さの付け睫毛を含んでいる、請求項1に記載の方法。
【請求項５】
前記付け睫毛は、短い付け睫毛、中位の付け睫毛、及び長い付け睫毛を所定の比率で含んでいる、請求項4に記載の方法。
【発明の詳細な説明】
【技術分野】
【０００１】
関連出願の相互参照
本出願は、2013年3月15日に出願された米国特許仮出願第61/791,606号の優先権を主張するものである。
【０００２】
本発明は、付け睫毛を貼付するための方法に関する。詳細には、本発明は、本明細書に記載の装置を使用して付け睫毛を貼付するための方法に関する。
【背景技術】
【０００３】
付け睫毛は、あらゆるタイプの目蓋形状、サイズ、睫毛色、及び他の多数の因子のために購入され且つ貼付されなければならない。このカスタマイズの度合いは、かなり高価で且つ輸送するのに費用のかかる嵩張った容器に格納される睫毛に結びついてきた。
【０００４】
付け睫毛の貼付で直面する別の問題は、付け睫毛の取り扱い及び貼付が、扱いにくかったり、散らかったり、不正確になったりする可能性があることである。現在入手可能な製品の場合、付け睫毛の貼付は技能と練習とを要する。付け睫毛を目蓋に接着するために、グルーを使用しなければならない。グルーに正しい量の「粘着性」を持たせ、次いで、睫毛をベトベトにしたり、製品を台無しにしたり、さらに悪いことには眼そのものに損傷を与えたりすることなしに、貼付しなければならない。睫毛上に前もって自己粘着グルーが付いた付け睫毛が市販されているが、これらの付け睫毛は、本物の睫毛上にグルーの残留物を残し、その結果、付け睫毛と一緒にその人自身の睫毛が取り除かれることになり得る。
【０００５】
こうした問題に対処するためのこれまでの試みには、所定の容量の接着剤を具備し得る付け睫毛ストリップが含まれる。ストリップは一般に、所定の長さで提供されるが、この長さは、それらが貼付される目蓋の長さに適合しない場合がある。また、付け睫毛のストリップのベースは容易に目に見え、それによりそれらの自然な見た目が損なわれる。また、目蓋へ貼付するのにより正確な長さを得るための切断手段を含むことができる付け睫毛付与器が用いられてきた。しかしこの場合も同様に、ストリップのベース、又は基幹部は、依然として目に見え、また、デバイスは、貼付の前にストリップを適切に測定するために、使用者の一部にある程度の技能を必要とする。これは、使用者の誤りに対する広い余白を生じさせ、また、付け睫毛の自然な見た目の限界を克服しない。
【発明の概要】
【発明が解決しようとする課題】
【０００６】
付け睫毛は、効率的に貼付されるために、また、自然な見た目を有するために、個別的な睫毛又は睫毛の束として、睫毛又は目蓋に送達される必要がある。本明細書における発明は、容易な貼付を可能にするフォームファクタでそのような睫毛を提供する。
【課題を解決するための手段】
【０００７】
本発明は、付け睫毛を分与するための貼付器を使用して使用者の睫毛に付け睫毛を貼付するための方法に関する。装置は、供給ホイール及び巻取ホイールを含み、供給ホイールは、複数のポケットを有するテープを備え、ここで、ポケットは、個別的な又は束の付け睫毛が使用者の目蓋又は睫毛への貼付のために分与ピボットから分与されるまで、それらを固定する。付け睫毛を粘着性組成物で前処理するか、又は、使用者の睫毛若しくは目蓋への貼付の直前に付け睫毛に接着剤を付与することができる。
【図面の簡単な説明】
【０００８】
【図１】本装置の斜視図である。
【図２】一つの第2の本体が取り除かれた、本装置の側面図である。
【図３】本装置の分与ピボットの拡大破断図(close-up and cutout view)である。
【図４】本装置の構成要素の分解組立図である。
【図５】第2の本体が取り除かれた、本装置の等角図である。
【図６】使用者に付け睫毛を分与しているときの本装置の図である。
【発明を実施するための形態】
【０００９】
装置は、個別的に又は付け睫毛の集まりの形で分与される付け睫毛の容易且つ正確な貼付を可能にする方法で、付け睫毛(「テープに乗った睫毛」)を便利よく格納し且つ送達する。付け睫毛は、使用者の目蓋又は睫毛に垂直に送達される。したがって、本発明は、テープの分与縁部に対して垂直にテープから分与される付け睫毛を含む。付け睫毛は、テープ上の個々のポケットから分与され、ポケットは、睫毛をテープ上に保持する接着剤の必要性をなくす。睫毛の表面上に残る接着剤は、ダマを作ったり、付け睫毛が使用者の目蓋又は睫毛に貼付された後で塵や屑を留めたりする可能性があるので、この特徴は重要である。また、付け睫毛は、単一の付け睫毛のストリップではなく個々のポケットから分与されるので、それらを定型化したり、曲げたり、細長くしたり、又は他の方法で相互に差を付けたりすることができる。
【００１０】
一般的な睫毛のタイプは、人毛、人工毛、ナイロン、繊維、糸、さらには光学繊維を含む。テープは、医療グレードの繊維被覆テープ(fabric-covered tape)であることが好ましい。しかし、プラスチックなどの他のタイプのテープが、機能上等価である。付け睫毛は、ヒトの目蓋又は睫毛への貼付を容易にするために、それらの遠位端部が接着剤で処理又は前処理されるべきである。適切な接着剤は、Elastoplast(登録商標)などの医療グレードのものを含み、また、使用者の睫毛又は目蓋に付け睫毛を固定するのに十分な粘着性があるが、使用者を傷つけるほどの粘着性はない。
【００１１】
図1は、付け睫毛を分与するための装置100の斜視図を示す。装置100は、第1の本体110と第2の本体120とによって画定されたケーシングを含む。第1及び第2の本体110及び120は、ねじ、クリップ、ボルト等の任意の実用的な手段を介して相互に固定される。より消費者の期待に沿うケーシングを形成するためには、鋲、磁石などの固定具、又は他のより容易に着脱可能な接続が用いられ得る。ケーシングは、本体110と120との間に開口部を含み得る。開口部は、ケーシングの周囲の周りに延在することができ、又は、本体110及び120は、分与ピボット114において開口部を露出させながら、それらの縁部の周りで同一平面になってもよい。作動ホイール115（アクチュエータ）が通常、ケーシングの上部中間部分に位置決めされ、且つ、テープ116の分与動作を可能にするように設けられる。分与ピボット114は、テープ116が分与ピボット114を通り越すときにテープ116から睫毛が分与されるように位置決めされる。ケーシングは、分与ピボット114での分与を促進するために、開口部を有して構成される。作動ホイール115は、例えば、使用者の指による作動のための表面を提供するために、はめ歯113などの凹凸を付けた表面を有して形成され得る。
【００１２】
図2は、第2の本体が取り除かれた、付け睫毛分与器の一実施形態の側面図を示す。この実施形態では、第1の本体210は、分与プロセスを促進するために、構成要素の全てを所定の位置に保持する。作動ホイール220及び供給ホイール235が、分与シリンダ225上に位置し、分与シリンダ225は、分与軸211上に位置する。作動ホイール220は、使用者の指を介したテープ205の前進を促進するために設けられる。供給ホイール235は、使用者が指で作動ホイール220を押したときにテープ205を回転させて分与するために設けられる。一つの実施形態では、作動ホイール220及び供給ホイール235は、一つのホイールとして一緒に形成され得る。巻取ホイール255は、後軸250上に配置され、且つ、分与ピボット214から使用済みのテープ205を受け取るために設けられる。
【００１３】
装置は、使用者が作動ホイール220を前方に押すことによって操作される。当技術分野で知られている幾つかの適切な作動手段が適切であるが、最も単純には、使用者がホイール220を指で前方に押す。この動作を通じて、搬送テープ205は、供給ホイール235から第1の経路230を経て分与ピボット214に分与される。分与ピボット214は、分与軸215上に位置するホイールであることが好ましい。テープ205は、分与ピボット214の周りで曲り、第2の経路240を経て、供給ホイール235の反対側を通過して、巻取ホイール255へと進む。第2の経路240を経て巻取ホイール255へとテープ205を案内するために、中間に軸260が設けられ得る。
【００１４】
図3は、分与ピボット330から分与されている付け睫毛310を示している、第1の本体350の破断図を示す。分与ピボット330は分与軸345上に嵌合し、また、分与ピボット330は、テープ340が分与されるときにそれを案内するための単純な曲面を備え得る。分与ピボット330は、搬送テープ340に平滑なピボット面を提供するホイールであることがより好ましい。各ポケット312は、それらの側縁部334、335において搬送テープ340の表面にシールされ、好ましくはヒートシールされる。搬送テープ340の前方縁部333は、搬送テープ340に対してシールされる場合もあればシールされない場合もある。前方縁部333がシールされないままである場合、ポケット312を通り抜けて前方縁部333を貫通して延在することにより所定の位置に保持される、より長い睫毛310が提供され得る。ポケット312は、付け睫毛310が分与ピボット330から分与されるまで、付け睫毛310を搬送テープ340に固定する。付け睫毛310は、付け睫毛310の遠位端部311が分与ピボット330の方に向けられるように、ポケット312内に構成される。使用中、付け睫毛310の遠位端部311は、分与ピボット330を通り越すときにポケット312から露呈される。一つの実施形態では、付け睫毛310の遠位端部311は、付け睫毛310を使用者の目蓋又は睫毛に貼付するための接着剤で前処理される。別の実施形態では、付け睫毛310の遠位端部311は、付け睫毛310を使用者の目蓋又は睫毛に貼付する直前に、接着剤で処理される。
【００１５】
図4は、巻取ホイール422、及び付け睫毛を保持するのに適したテープ492が取り付けられた供給ホイール424を示す、一実施形態の分解組立図であり、テープ492は、供給ホイール424から分与ピボット430を越えて巻取ホイール422まで延在している。供給ホイール424は、分与シリンダ474上に嵌合し、分与シリンダ474は、作動ホイール476の中央シリンダ475上に嵌合する。分与シリンダ474は、通常、使用者により作動ホイール476が回転されたときに供給ホイール424を効率的に動かすのに十分な摩擦を提供するゴム又は類似の材料から形成される。分与シリンダ474を設けることにより、補給目的のためのテープ492及び/又は供給ホイール424の比較的簡単な交換が可能になる。完全に組み立てられると、各構成要素は、軸431、477、425、及び423と係合する。具体的には、分与ピボット430は、分与軸431上に嵌合し、作動軸477は、作動ホイール476の中央シリンダ475の内側に嵌合する。第1の本体120の後方に位置するが巻取軸423の前方にある軸425は、テープ492が分与されるときにテープ492を巻取ホイール422に案内するのを支援するために設けられる。巻取ホイール422は、巻取軸423上に嵌合する。巻取ホイール422は、テープ492の分与動作と巻取動作とを調和させるために、作動ホイール476上のはめ歯442と噛み合う円周方向のはめ歯440を備えることができる。第1の本体120にあるそれぞれの軸は、第2の本体110の内面にある適合する受けと係合して、装置の構造的安定性を強める。
【００１６】
装置にテープ492を装填するために、付け睫毛が予め装填されたテープ492のロールが供給ホイール424上に設けられる。テープは分与ピボット430及び後軸425を越えて延ばされて、巻取ホイール422に接続される。テープ492は、様々な手段により巻取ホイール422に固定され得る。テープ492を巻取ホイール422に効率的に接着するために、テープ492の十分な部分が接着剤で前処理されることが好ましい。
【００１７】
図5は、第2の本体が取り除かれた、付け睫毛分与器の一実施形態の側面斜視図を示す。第1の本体500は、分与プロセスが適切に行われ得るように構成要素の全てを所定の位置に保持する、位置保持器(place holder)である。作動ホイール565は、作動軸526上に設置される。作動ホイール565は、分与シリンダ525と係合され、分与シリンダ525は、供給ホイール535と係合される。作動ホイール565は、巻取ホイール555上の相補的なはめ歯536と係合する一連の円周方向のはめ歯566を備える。使用者によって操作されるときには、作動ホイール565上のはめ歯566が巻取ホイール555上のはめ歯536に係合し、それにより、テープ513が分与されるときに、供給ホイール535及び巻取ホイール555が同調して動かされる。睫毛510は、付け睫毛510の遠位端部511がポケット512の遠位側517から突出するように配置される。作動されると、テープ513はその第1の経路530に沿って移動し、睫毛510の遠位端部511は、使用者の目蓋又は睫毛に貼付するために、ピボットホイール514を越えて使用者に提示される。ピボットホイール514は、ピボット軸515の周りで回転するホイールであることが好ましい。また、第2の経路540を経て巻取ホイール555までテープ513を案内するために、後軸560が設けられる。一つの実施形態では、付け睫毛510の遠位端部511は、目蓋又は睫毛への貼付の直前に、使用者の期待に添う接着剤で処理される。
【００１８】
図6は、使用者が彼女自身の睫毛650に付け睫毛640を貼付しているときの、使用中の装置610を示す。図示のように、作動ホイール620は、付け睫毛640を露呈させるのに十分にその回転軸に沿って押されている。次いで、付け睫毛640の遠位端部635は、使用者の睫毛650に貼付される。付け睫毛640の遠位端部635は、付け睫毛640を使用者の睫毛650に添着するために、使用者の期待に添う接着剤で前処理されている。適切な睫毛用接着剤は、例えばDUO(登録商標)として市販されている。接着剤は、分与装置610と一緒にキットとして商業的に提供されてもよい。別の実施形態では、付け睫毛640は、付け睫毛640の遠位端部635を使用者の目蓋630に貼付することにより、使用者の既存の生来の睫毛650に混合され得る。付け睫毛640が睫毛650又は目蓋630に貼付されるときに、使用者は、貼付部位において一定期間付け睫毛640の遠位端部635に軽い圧力を加えるように指示される。接着剤が貼付部位に接着したら、使用者は装置610を眼660から引き離すべきである。睫毛640は、貼付部位に留まって、ポケット615から滑り出ることになる。このプロセスは、所望の美容的外観が得られるまで繰り返される。
【００１９】
本明細書における装置は、多様な美容効果を得るために、様々な長さ、形状、及び配向の付け睫毛が予め装填され得る。一つの実施形態では、装置は、所定の数の短い付け睫毛、中位の付け睫毛、及び長い付け睫毛が予め装填される。装置はまた、特定の美容効果を得るために、様々な長さの付け睫毛を貼付するための使用説明書を含むか又はテンプレートを示すことができる。そのような付け睫毛を装置に予め装填すること、及びそれらを貼付するための使用説明書を用意することにより、現在知られている付け睫毛を貼付するための手法と比較して、全般的なユーザ体験が向上される。具体的には、それぞれの装置における睫毛の組合せを予め定めることにより、使用者が特に所望する美容的外観に基づいた特定の装置を売り場で選ぶことが可能になる。例えば、最初の十個のポケットが短い付け睫毛で構成され、次の十個のポケットが中位の睫毛で構成され、その次の十個のポケットが長い睫毛で構成されてもよい。当然ながら、短い睫毛、中位の睫毛、及び長い睫毛のいかなる所定の比率も用いることができる。
【図１】
2016511340.tif 000003
【図２】
2016511340.tif 000004
【図３】
2016511340.tif 000005
【図４】
2016511340.tif 000006
【図５】
2016511340.tif 000007
【図６】
2016511340.tif 000008
【国際調査報告】
2016511340.tif 000009
2016511340.tif 000010